【手続補正書】
【提出日】平成17年7月25日(2005.7.25)
【手続補正１】
【補正対象書類名】明細書
【補正対象項目名】特許請求の範囲
【補正方法】変更
【補正の内容】
【特許請求の範囲】
【請求項１】
遊技媒体を用いて所定の遊技を行うことが可能であり、遊技領域に設けられた入賞領域に遊技媒体が入賞したことにもとづいて景品としての景品遊技媒体を払い出す遊技機であって、
遊技機に設けられた電気部品を制御するための電気部品制御マイクロコンピュータと、
前記景品遊技媒体の払い出しを行う払出手段と、
前記払出手段により払い出された景品遊技媒体を検出する景品遊技媒体検出手段と、
前記電気部品制御マイクロコンピュータが制御を行う際に発生する変動データを記憶する変動データ記憶手段と、
遊技機への電力供給が停止していても前記変動データ記憶手段の記憶内容を所定期間保持させることが可能な記憶内容保持手段と、
遊技機で用いられる所定の電源の状態を監視して電源断の発生を検出したときに検出信号を電気部品制御マイクロコンピュータに出力する電源監視手段と、
操作に応じて操作信号を出力することが可能な操作手段とを備え、
前記電気部品制御マイクロコンピュータは、前記電源監視手段からの検出信号に応じて制御状態を復旧させるために必要なデータを前記変動データ記憶手段に保存するための電力供給停止時処理を実行し、電力供給が復帰し所定の復旧条件が成立したときに前記変動データ記憶手段に保存されていた記憶内容にもとづいて制御状態を電力供給が停止する前の状態に復旧させる復旧処理を実行し、前記所定の復旧条件が不成立であったときには、前記変動データ記憶手段に保存されていた記憶内容を初期化する初期化処理を実行し、
前記変動データ記憶手段の記憶内容には、前記入賞領域に遊技媒体が入賞したことにもとづいて払い出すべき景品遊技媒体数のうち未だ払い出されていない未払出数を特定可能な未払出数データと、払出条件の成立にもとづいて払い出すべき景品遊技媒体数のうち未だ払い出されていない未払出数がないにもかかわらず前記景品遊技媒体検出手段により検出された遊技媒体数を特定可能な過剰払出数データとが含まれ、
前記所定の復旧条件は、電力供給が開始されたときに、少なくとも前記操作手段から操作信号が出力されなかったことを含み、
前記電気部品制御マイクロコンピュータは、前記電力供給停止時処理にて、所定の検出維持期間が経過するまでの期間において前記景品遊技媒体検出手段からの入力処理を行い、該入力処理の結果を示すデータを前記変動データ記憶手段に保存し、
前記入力処理の実行中に、前記電気部品制御マイクロコンピュータおよび前記景品遊技媒体検出手段を駆動可能な電源を供給可能な補助駆動電源供給手段を備え、
前記電気部品制御マイクロコンピュータは、
前記復旧処理にて前記入力処理の結果を示すデータにもとづいて前記未払出数データを更新する処理を実行し、
前記過剰払出数データが示す遊技媒体数が、所定数以上となったことにもとづいて、景品遊技媒体数の払い出しに関わる異常が発生したことを示す信号を外部に出力するための処理を実行する
ことを特徴とする遊技機。
【請求項２】
電気部品制御マイクロコンピュータは、未払出数データが示す遊技媒体数が、所定数以上となったことにもとづいて、景品遊技媒体数の払い出しに関わる異常が発生したことを示す信号を外部に出力するための処理を実行する
請求項１記載の遊技機。
【請求項３】
入賞領域に遊技媒体が入賞したことにもとづいて払い出すべき景品遊技媒体数のうち未だ払い出されていない未払出数があるにもかかわらず景品遊技媒体検出手段により景品遊技媒体が検出されない期間を計測するための払出未検出期間計測手段を備え、
電気部品制御マイクロコンピュータは、前記払出未検出期間計測手段が示す期間が、所定期間以上の期間となったことにもとづいて、景品遊技媒体数の払い出しに関わる異常が発生したことを示す信号を外部に出力するための処理を実行する
請求項１または請求項２記載の遊技機。
【請求項４】
変動データ記憶手段の記憶内容には、所定の払出禁止条件が成立しているか否かを示す払出禁止判定データが含まれ、
電気部品制御マイクロコンピュータは、前記払出禁止判定データにもとづいて、景品遊技媒体数の払い出しに関わる異常が発生したことを示す信号を外部に出力するための処理を実行する
請求項１から請求項３のうちいずれかに記載の遊技機。
【請求項５】
払い出された遊技媒体が貯留される貯留部に所定量以上の遊技媒体が貯留されているか否かを検出するための貯留状態検出手段を備え、
払出禁止条件は、前記貯留状態検出手段により前記貯留部に所定量以上の遊技媒体が貯留されているときに成立する条件を含む
請求項４記載の遊技機。
【請求項６】
払出手段に供給される遊技媒体が所定量以上確保されているか否かを検出するための遊技媒体切れ検出手段を含み、
払出禁止条件は、前記遊技媒体切れ検出手段により遊技媒体が所定量以上確保されていないことが検出されたときに成立する条件を含む
請求項４または請求項５記載の遊技機。
【請求項７】
電気部品制御マイクロコンピュータは、景品遊技媒体数の払い出しに関わる異常が発生したことを示す信号の出力を開始したあとは、当該信号の出力状態を電力供給が停止するまで維持する
請求項１から請求項６のうちいずれかに記載の遊技機。
【請求項８】
電気部品制御マイクロコンピュータは、復旧処理にて、景品遊技媒体数の払い出しに関わる異常が発生したことを示す信号の出力状態を初期化する処理を行う
請求項１から請求項７のうちいずれかに記載の遊技機。
【請求項９】
所定の復旧条件は複数あり、電気部品制御マイクロコンピュータは、電力供給が復帰したときに、前記複数の復旧条件がすべて成立したと判定したことを条件に、変動データ記憶手段に保存されていた記憶内容にもとづいて制御状態を復旧させる復旧処理を実行し、前記複数の復旧条件のうち少なくとも１つの復旧条件が不成立であったと判定したときには、前記変動データ記憶手段の記憶内容を初期化する初期化処理を実行する
請求項１から請求項８のうちいずれかに記載の遊技機。
【請求項１０】
電気部品制御マイクロコンピュータは、複数の復旧条件が成立しているか否かを確認する際に、操作手段から操作信号が出力されているか否かの確認を優先的に実行し、前記操作手段から前記操作信号が出力されていることを確認したときには、他の復旧条件が成立しているか否かの確認を行うことなく初期化処理を実行する
請求項９記載の遊技機。
【請求項１１】
電気部品制御マイクロコンピュータが搭載された電気部品制御基板を複数備え、
操作手段は前記電気部品制御基板とは別の箇所に設けられている
請求項１から請求項１０のうちいずれかに記載の遊技機。
【請求項１２】
操作手段は、遊技機へ供給される電源から各電気部品制御基板で用いられる電圧の電源を作成する電源基板に設けられ、
前記電源基板には、前記操作手段と、遊技機への電源の供給または遮断を選択するための電力供給操作手段とが搭載される
請求項１１記載の遊技機。
【手続補正２】
【補正対象書類名】明細書
【補正対象項目名】００１４
【補正方法】変更
【補正の内容】
【００１４】
【課題を解決するための手段】
本発明による遊技機は、遊技媒体を用いて所定の遊技を行うことが可能であり、遊技領域に設けられた入賞領域に遊技媒体が入賞（例えば、遊技領域に設けられた入賞領域への入賞があったときに成立する条件、スロットマシンにおいて予め定められた所定の表示態様での表示が表示装置になされたときに成立する条件）したことにもとづいて景品としての景品遊技媒体を払い出す遊技機であって、遊技機に設けられた電気部品を制御するための電気部品制御マイクロコンピュータ（例えば、ＣＰＵ５６を含む遊技制御手段）と、景品遊技媒体の払い出しを行う払出手段（例えば球払出装置９７）と、払出手段により払い出された景品遊技媒体を検出する景品遊技媒体検出手段（例えば賞球カウントスイッチ３０１Ａ）と、電気部品制御マイクロコンピュータが制御を行う際に発生する変動データを記憶する変動データ記憶手段（例えば主基板３１が備える電源バックアップされたＲＡＭ５５や払出制御基板３７が備える電源バックアップされたＲＡＭ）と、遊技機への電力供給が停止していても変動データ記憶手段の記憶内容を所定期間保持させることが可能な記憶内容保持手段（例えばコンデンサ９１６）と、遊技機で用いられる所定の電源の状態を監視して電源断の発生を検出したとき（例えば監視電圧であるＶSL（＋３０Ｖ）の電圧値が＋２２Ｖまで低下したとき）に検出信号（例えば電源断信号）を電気部品制御マイクロコンピュータに出力する電源監視手段（例えば電源監視用ＩＣ９０２）と、操作に応じて操作信号（例えばクリアスイッチ信号）を出力することが可能な操作手段（例えばクリアスイッチ９２１）と、を備え、電気部品制御マイクロコンピュータは、電源監視手段からの検出信号に応じて制御状態を復旧させるために必要なデータ（例えばＣＰＵ５６に用いられるレジスタのデータ等）を変動データ記憶手段に保存するための電力供給停止時処理（例えば図２３〜図２５に示す処理）を実行し、電力供給が復帰し所定の復旧条件（例えばステップＳ７〜ステップＳ９の条件）が成立したときに変動データ記憶手段に保存されていた記憶内容にもとづいて制御状態を電力供給が停止する前の状態に復旧させる復旧処理（例えば図２１に示す遊技状態復旧処理）を実行し、所定の復旧条件が不成立であったときには、変動データ記憶手段に保存されていた記憶内容を初期化する初期化処理（例えばステップＳ１１〜ステップＳ１５の処理）を実行し、変動データ記憶手段の記憶内容には、入賞領域に遊技媒体が入賞したことにもとづいて払い出すべき景品遊技媒体数のうち未だ払い出されていない未払出数を特定可能な未払出数データ（例えばバックアップＲＡＭに形成されている総賞球数格納バッファの格納値）と、払出条件の成立にもとづいて払い出すべき景品遊技媒体数のうち未だ払い出されていない未払出数がないにもかかわらず景品遊技媒体検出手段により検出された遊技媒体数を特定可能な過剰払出数データ（例えば過剰払出数記憶カウンタの値）とが含まれ、所定の復旧条件は、電力供給が開始されたときに、少なくとも操作手段から操作信号が出力されなかったこと（例えばステップＳ７のＮと判定された場合、ステップＳ７０７のＮと判定された場合）を含み、電気部品制御マイクロコン���ュータは、電力供給停止時処理にて、所定の検出維持期間が経過するまでの期間において景品遊技媒体検出手段からの入力処理を行い、該入力処理の結果を示すデータを変動データ記憶手段に保存し（図２４のＳ４６６〜Ｓ４８６）、入力処理の実行中に、電気部品制御マイクロコンピュータおよび景品遊技媒体検出手段を駆動可能な電源を供給可能な補助駆動電源供給手段（比較的大容量の補助駆動電源としてのコンデンサ９２３）を備え、電気部品制御マイクロコンピュータが、復旧処理にて入力処理の結果を示すデータにもとづいて未払出数データを更新する処理を実行し、過剰払出数データが示す遊技媒体数が、所定数（例えば「５０」）以上となったことにもとづいて（例えばステップＳ３３ｆのＹ）、景品遊技媒体数の払い出しに関わる異常が発生したことを示す信号（例えば遊技機エラー状態信号）を外部に出力するための処理（例えばステップＳ３３ｅ）を実行することを特徴とする。
【手続補正３】
【補正対象書類名】明細書
【補正対象項目名】００１５
【補正方法】変更
【補正の内容】
【００１５】
電気部品制御マイクロコンピュータが、未払出数データが示す遊技媒体数が、所定数（例えば「３２７１７」）以上となったことにもとづいて（例えばステップＳ３３ｇのＹ）、景品遊技媒体数の払い出しに関わる異常が発生したことを示す信号を外部に出力するための処理（例えばステップＳ３３ｅ）を実行するように構成されていてもよい。
【手続補正４】
【補正対象書類名】明細書
【補正対象項目名】００１６
【補正方法】変更
【補正の内容】
【００１６】
入賞領域に遊技媒体が入賞したことにもとづいて払い出すべき景品遊技媒体数のうち未だ払い出されていない未払出数があるにもかかわらず景品遊技媒体検出手段により景品遊技媒体が検出されない期間（例えば、賞球払出監視タイマが示す期間）を計測するための払出未検出期間計測手段を備え、電気部品制御マイクロコンピュータが、払出未検出期間計測手段が示す期間が、所定の許容期間（例えば３０秒）以上の期間となったことにもとづいて（例えばステップＳ３３ｃのＹ）、景品遊技媒体数の払い出しに関わる異常が発生したことを示す信号を外部に出力するための処理（例えばステップＳ３３ｅ）を実行するように構成されていてもよい。
【手続補正５】
【補正対象書類名】明細書
【補正対象項目名】００１７
【補正方法】変更
【補正の内容】
【００１７】
変動データ記憶手段の記憶内容には、所定の払出禁止条件が成立しているか否かを示す払出禁止判定データ（例えば払出停止フラグの状態）が含まれ、電気部品制御マイクロコンピュータが、払出禁止判定データにもとづいて（例えば「払出停止フラグがオン状態となったことにもとづいて」という概念を含む。よって、例えば「ステップＳ３３ｈのＹと判定されたことにもとづいて」という概念を含む。）、景品遊技媒体数の払い出しに関わる異常が発生したことを示す信号を外部に出力するための処理（例えばステップＳ３３ｅ）を実行するように構成されていてもよい。
【手続補正６】
【補正対象書類名】明細書
【補正対象項目名】００１８
【補正方法】変更
【補正の内容】
【００１８】
払い出された遊技媒体が貯留される貯留部（例えば余剰球受皿４）に所定量以上の遊技媒体が貯留されているか否かを検出するための貯留状態検出手段（例えば満タンスイッチ４８）を備え、払出禁止条件は、貯留状態検出手段により貯留部に所定量以上の遊技媒体が貯留されているときに成立する条件（例えばステップＳ１５３のＹ）を含むように構成されていてもよい。
【手続補正７】
【補正対象書類名】明細書
【補正対象項目名】００１９
【補正方法】変更
【補正の内容】
【００１９】
払出手段に供給される遊技媒体が所定量以上確保されているか否かを検出するための遊技媒体切れ検出手段（例えば球切れスイッチ１８７）を含み、払出禁止条件は、遊技媒体切れ検出手段により遊技媒体が所定量以上確保されていないことが検出されたときに成立する条件（例えばステップＳ１５８のＹ）を含むように構成されていてもよい。
【手続補正８】
【補正対象書類名】明細書
【補正対象項目名】００２０
【補正方法】変更
【補正の内容】
【００２０】
電気部品制御マイクロコンピュータが、景品遊技媒体数の払い出しに関わる異常が発生したことを示す信号の出力を開始したあと（例えば、ステップＳ３３ｃのＹ、ステップＳ３３ｆのＹ、またはステップＳ３３ｇのＹと判定され遊技機エラー信号が出力されたあと）は、当該信号の出力状態を電力供給が停止するまで維持するように構成されていてもよい。
【手続補正９】
【補正対象書類名】明細書
【補正対象項目名】００２１
【補正方法】変更
【補正の内容】
【００２１】
電気部品制御マイクロコンピュータが、復旧処理にて、景品遊技媒体数の払い出しに関わる異常が発生したことを示す信号の出力状態を初期化する処理（例えばステップＳ８６）を行うように構成されていてもよい。
【手続補正１０】
【補正対象書類名】明細書
【補正対象項目名】００２２
【補正方法】変更
【補正の内容】
【００２２】
所定の復旧条件は複数あり、電気部品制御マイクロコンピュータが、電力供給が復帰したときに、複数の復旧条件（例えば、遊技制御手段におけるステップＳ７〜ステップＳ９の条件、払出制御手段におけるステップＳ７０７〜ステップＳ７０９の条件）がすべて成立したと判定したことを条件に、変動データ記憶手段に保存されていた記憶内容にもとづいて制御状態を復旧させる復旧処理を実行し、複数の復旧条件のうち少なくとも１つの復旧条件が不成立であったと判定したときには、変動データ記憶手段の記憶内容を初期化する初期化処理（例えばステップＳ１１〜ステップＳ１５の処理、ステップＳ７１１〜ステップＳ７１４の処理）を実行するように構成されていてもよい。
【手続補正１１】
【補正対象書類名】明細書
【補正対象項目名】００２３
【補正方法】変更
【補正の内容】
【００２３】
電気部品制御マイクロコンピュータが、複数の復旧条件が成立しているか否かを確認する際に、操作手段から操作信号が出力されているか否かの確認を優先的に実行（例えば、遊技制御手段においてステップＳ８，ステップＳ９の条件よりもステップＳ７の条件についての確認を先に行う、払出制御手段においてステップＳ７０８，ステップＳ７０９の条件よりもステップＳ７０７の条件についての確認を先に行う）し、操作手段から操作信号が出力されていることを確認したときには、他の復旧条件が成立しているか否かの確認を行うことなく初期化処理を実行するように構成されていてもよい。
【手続補正１２】
【補正対象書類名】明細書
【補正対象項目名】００２４
【補正方法】変更
【補正の内容】
【００２４】
電気部品制御マイクロコンピュータが搭載された電気部品制御基板（例えば主基板３１、払出制御基板３７）を複数備え、操作手段が電気部品制御基板とは別の箇所（例えば電源基板９１０、スイッチ基板、ターミナル基板）に設けられているように構成されていてもよい。
【手続補正１３】
【補正対象書類名】明細書
【補正対象項目名】００２５
【補正方法】変更
【補正の内容】
【００２５】
操作手段は、遊技機へ供給される電源から各電気部品制御基板で用いられる電圧の電源を作成する電源基板に設けられ、電源基板には、操作手段と、遊技機への電源の供給または遮断を選択するための電力供給操作手段（例えば電源スイッチ９１４）とが搭載される構成とされていてもよい。
【手続補正１４】
【補正対象書類名】明細書
【補正対象項目名】０５４８
【補正方法】変更
【補正の内容】
【０５４８】
【発明の効果】
以上のように、本発明によれば、遊技機を、電気部品制御マイクロコンピュータが、電源監視手段からの検出信号に応じて制御状態を復旧させるために必要なデータを変動データ記憶手段に保存するための電力供給停止時処理を実行し、電力供給が復帰し所定の復旧条件が成立した場合に変動データ記憶手段に保存されていた記憶内容にもとづいて制御状態を電力供給が停止する前の状態に復旧させる復旧処理を実行し、所定の復旧条件が不成立であった場合には、変動データ記憶手段に保持されていた記憶内容を初期化する初期化処理を実行し、所定の復旧条件は、電力供給が開始されたときに、少なくとも操作手段から操作信号が出力されなかったことを含み、変動データ記憶手段の記憶内容には、払出条件の成立にもとづいて払い出すべき景品遊技媒体数のうち未だ払い出されていない未払出数がないにもかかわらず景品遊技媒体検出手段により検出された遊技媒体数を特定可能な過剰払出数データが含まれ、電気部品制御マイクロコンピュータが、過剰払出数データが示す遊技媒体数が、所定数以上となったことにもとづいて、景品遊技媒体数の払い出しに関わる異常が発生したことを示す信号を外部に出力するための処理を実行することを特徴とするので、景品遊技媒体が過剰に払い出されるという状態を外部にて認識することが可能となるとともに、復旧処理を行う必要がない場合には復旧処理が実行されないようにすることができるので遊技機運用上の利便性を向上させることが可能となるという効果を有する。また、電気部品制御マイクロコンピュータおよび景品遊技媒体検出手段に電力を供給可能な補助電力供給手段を備え、電力供給停止時処理にて景品遊技媒体検出手段からの検出信号の入力処理を行うように構成されているので、電力供給停止時処理にて、払い出された遊技媒体を確実に検出することが可能となるという効果を有する。また、電力供給停止時処理にて景品遊技媒体検出手段からの検出信号の入力処理の結果を示すデータを変動データ記憶手段に保存し、復旧処理にて入力処理の結果を示すデータにもとづいて未払出数データを更新する処理を実行するように構成されているので、電力供給停止時処理での入力処理を迅速に行うことができるという効果を有する。
【手続補正１５】
【補正対象書類名】明細書
【補正対象項目名】０５４９
【補正方法】変更
【補正の内容】
【０５４９】
本発明では、電気部品制御マイクロコンピュータが、未払出数データが示す遊技媒体数が、所定数以上となったことにもとづいて、景品遊技媒体数の払い出しに関わる異常が発生したことを示す信号を外部に出力するための処理を実行するように構成されているので、未だ払い出されていない景品遊技媒体が所定数以上となったことを外部にて認識することができる。
【手続補正１６】
【補正対象書類名】明細書
【補正対象項目名】０５５０
【補正方法】変更
【補正の内容】
【０５５０】
本発明では、入賞領域に遊技媒体が入賞したことにもとづいて払い出すべき景品遊技媒体数のうち未だ払い出されていない未払出数があるにもかかわらず景品遊技媒体検出手段により景品遊技媒体が検出されない期間を計測するための払出未検出期間計測手段を備え、電気部品制御マイクロコンピュータが、払出未検出期間計測手段が示す期間が、所定期間以上の期間となったことにもとづいて、景品遊技媒体数の払い出しに関わる異常が発生したことを示す信号を外部に出力するための処理を実行するように構成されているので、未だ払い出されていない景品遊技媒体があるのにもかかわらず所定期間払い出しがなされない状態を外部にて認識することが可能となる。
【手続補正１７】
【補正対象書類名】明細書
【補正対象項目名】０５５１
【補正方法】変更
【補正の内容】
【０５５１】
本発明では、変動データ記憶手段の記憶内容には、所定の払出禁止条件が成立しているか否かを示す払出禁止判定データが含まれ、電気部品制御マイクロコンピュータが、払出禁止判定データにもとづいて、景品遊技媒体数の払い出しに関わる異常が発生したことを示す信号を外部に出力するための処理を実行するように構成されているので、払出禁止条件が成立している状態を外部にて認識することが可能となる。
【手続補正１８】
【補正対象書類名】明細書
【補正対象項目名】０５５２
【補正方法】変更
【補正の内容】
【０５５２】
本発明では、払出禁止条件は、貯留状態検出手段により貯留部に所定量以上の遊技媒体が貯留されているときに成立する条件を含むように構成されているので、貯留部に所定量以上の遊技媒体が貯留されている状態を外部にて認識することが可能となる。
【手続補正１９】
【補正対象書類名】明細書
【補正対象項目名】０５５３
【補正方法】変更
【補正の内容】
【０５５３】
本発明では、払出禁止条件は、遊技媒体切れ検出手段により遊技媒体が所定量以上確保されていないことが検出されたときに成立する条件を含むように構成されているので、払出手段に供給される遊技媒体が所定量以上確保されていない状態を外部にて認識することが可能となる。
【手続補正２０】
【補正対象書類名】明細書
【補正対象項目名】０５５４
【補正方法】変更
【補正の内容】
【０５５４】
本発明では、電気部品制御マイクロコンピュータが、景品遊技媒体数の払い出しに関わる異常が発生したことを示す信号の出力を開始したあとは、当該信号の出力状態を電力供給が停止するまで維持するように構成されているので、払い出しに関わる異常が発生した遊技機を容易に特定することができる。
【手続補正２１】
【補正対象書類名】明細書
【補正対象項目名】０５５５
【補正方法】変更
【補正の内容】
【０５５５】
本発明では、電気部品制御マイクロコンピュータが、復旧処理にて、景品遊技媒体数の払い出しに関わる異常が発生したことを示す信号の出力状態を初期化する処理を行う構成とされているので、不必要な情報が復旧されてしまうことを防止することができる。
【手続補正２２】
【補正対象書類名】明細書
【補正対象項目名】０５５６
【補正方法】変更
【補正の内容】
【０５５６】
本発明では、所定の復旧条件は複数あり、電気部品制御マイクロコンピュータが、電力供給が復帰したときに、複数の復旧条件がすべて成立したと判定したことを条件に、変動データ記憶手段に保存されていた記憶内容にもとづいて制御状態を復旧させる復旧処理を実行し、複数の復旧条件のうち少なくとも１つの復旧条件が不成立であったと判定したときには変動データ記憶手段の記憶内容を初期化する初期化処理を実行するように構成されているので、不確実な状態から制御状態が復旧してしまうことを防止することができる。
【手続補正２３】
【補正対象書類名】明細書
【補正対象項目名】０５５７
【補正方法】変更
【補正の内容】
【０５５７】
本発明では、電気部品制御マイクロコンピュータが、複数の復旧条件が成立しているか否かを確認する際に、操作手段から操作信号が出力されているか否かの確認を優先的に実行し、操作手段から操作信号が出力されていることを確認したときには、他の復旧条件が成立しているか否かの確認を行うことなく初期化処理を実行するように構成されているので、無駄な確認処理を行うことがなく、早期に初期化処理を実行することが可能となる。
【手続補正２４】
【補正対象書類名】明細書
【補正対象項目名】０５５８
【補正方法】変更
【補正の内容】
【０５５８】
本発明では、電気部品制御マイクロコンピュータが搭載された電気部品制御基板を複数備え、操作手段は電気部品制御基板とは別の箇所に設けられている構成とされているので、遊技店員等が操作しやすい任意の位置に操作手段を設置することができる。
【手続補正２５】
【補正対象書類名】明細書
【補正対象項目名】０５５９
【補正方法】変更
【補正の内容】
【０５５９】
本発明では、操作手段は遊技機へ供給される電源から各電気部品制御基板で用いられる電圧の電源を作成する電源基板に設けられ、電源基板には、操作手段と、遊技機への電源の供給または遮断を選択するための電力供給操作手段とが搭載される構成とされているので、操作手段と電力供給操作手段を近くに配することができるようになり、操作手段の操作がより容易となる。